(57)【要約】【課題】光ディスクの静電気除去機能を具備した光ディスクドライブを提供する。【解決手段】ケースと、光ディスクを搭載してケースの内外に出入するトレーと、ケースと電気的に連結されるように設置されてトレーの出入時に光ディスクの一側と接触する接地部材とを含む光ディスクドライブ。これにより、トレーを装填する時に所定接地部材を通じて光ディスクに残留する静電気を除去できてホコリなどの異物が光ディスクに付着する現象を抑制でき、したがって、安定してかつ正確な光信号処理を保証できる。【選択図】　図４
2004022163.tif 000002
【特許請求の範囲】
【請求項１】
ケースと、
光ディスクを搭載して前記ケースの内外に出入するトレーと、
前記ケースと電気的に連結されるように設置されて前記トレーの出入時に前記光ディスクの一側と接触する接地部材とを含むことを特徴とする光ディスクドライブ。
【請求項２】
前記接地部材は、前記トレーが前記ケースから引出される時に前記ディスクの一側と摩擦接触して制動力を付与するストッパの機能を兼ねることを特徴とする請求項１に記載の光ディスクドライブ。
【請求項３】
前記接地部材は、前記ケースとの電気的連結のための金属材質と制動力付与のための非金属材質とが組合わされてなることを特徴とする請求項２に記載の光ディスクドライブ。
【請求項４】
前記金属材質は、アルミニウム、銀、銅、ニッケル、ステンレススチール、合成樹脂および合成ゴムに金属粉およびカーボンを混合分散させた導電性材料、金属糸、金属糸と非金属糸とを混合した材料、付着型金属テープのうち選択された少なくとも一つを含んでなることを特徴とする請求項３に記載の光ディスクドライブ。
【発明の詳細な説明】
【０００１】
【発明の属する技術分野】
本発明は光ディスクドライブに係り、特に使用する光ディスクの静電気を除去する機能を具備した光ディスクドライブに関する。
【０００２】
【従来の技術】
例えば、ノート型パソコンのような携帯用情報プロセッサーに採用されるスリムタイプ光ディスクドライブは、図１に図示したようにケース１０およびトレー２０を含む。前記ケース１０は情報プロセッサー本体（図示せず）に設置され、その上に各種回路基板１１が設置される。前記トレー２０は前記ケース１０に出入自在に設置され、光ディスクＤが載置されるターンテーブル２１および光ディスクＤにアクセスして光信号を交換する光ピックアップ２２を搭載している。前記トレー２０はケース１０内側に装填される時、そのトレー２０の底面に形成された係止爪２０ａがソレノイド１２と連結された回転レバー１３の係止部１３ａに引っかかってロッキングされる。したがって、光ディスクＤをターンテーブル２１上に搭載した後、トレー２０をケース１０の内に押込めば、図２のように係止爪２０ａと係止部１３ａとがロッキングされ、以後に光ディスクＤに関する情報の記録や再生作業を安定的に行える。逆に、トレー２０をケース１０から取り出す時にはソレノイド１２が駆動しつつ前記係止爪２０ａと係止部１３ａとのロッキングが解除される方向に回転レバー１３を回転させ、トレー２０の進入時に弾性変形されていたトレー２０の下面側スプリング２３が弾性復元されながらトレー２０をケース１０の外側の方向に押し出す。参照符号３０はディスクストッパを示し、前記のようにスプリング２３の復原力によりトレー２０が飛出す時に図３のように光ディスクＤの縁部に接触することによってトレー２０があまり多く飛出さないように制動をかける役割をする。もちろん、トレー２０の進入時にも光ディスクＤの縁部が前記ディスクストッパ３０に接触するが、摩擦接触による制動であるためにすこしだけ力を入れて押込めば進入には何の問題もない。このようなストッパ３０にはゴムやプラスチック、ビニール、布、革などの素材が使われる。
【０００３】
一方、光ディスクＤは前記のようにドライブ内にローディングされて使われる時に高速で回転するために、空気との摩擦によりその表面に静電気が発生しうる。ところで、このように光ディスクＤの表面に静電気が発生すれば周囲からホコリなどの異物を引き付けるために光ディスクＤの表面が異物により汚れやすく、結局この異物が光ディスクＤに情報を記録して再生するのに支障を与えうる。静電気の量が微小な場合ならばあまり問題にならないが、光ディスクＤの反復使用によって静電気が蓄積され続けばホコリが引き付けられる程度も益々激しくなり、結局には情報の記録および再生作業に障害を与える。
【０００４】
したがって、このような静電気の問題を解消できる対策が要求されている。
【０００５】
【発明が解決しようとする課題】
本発明は前記の必要性を勘案して創出されたものであって、光ディスクに残留する静電気を使用前に除去できる機能を具備した光ディスクドライブを提供するところにその目的がある。
【０００６】
【課題を解決するための手段】
前記の目的を達成するための本発明の光ディスクドライブは、ケースと、光ディスクを搭載して前記ケースの内外に出入するトレーと、前記ケースと電気的に連結されるように設置されて前記トレーの出入時に前記光ディスクの一側と接触する接地部材とを含むことを特徴とする。
【０００７】
【発明の実施の形態】
以下、添付した図面を参照して本発明の望ましい実施例について詳細に説明する。
図４を参照すれば、本発明の光ディスクドライブには、ケース１００およびトレー２００が備わる。前記トレー２００は前記ケース１００に出入自在に設置され、光ディスクＤが載置されるターンテーブル２１０およびその光ディスクＤにアクセスして光信号を交換する光ピックアップ２２０を搭載する。前記トレー２００はケース１００の内側に装填されるにつれてその底面に形成された係止爪２０１がソレノイド１２０と連結された回転レバー１３０の係止部１３０ａにかかってロッキングされる。逆に、トレー２００を取り出す時にはソレノイド１２０が駆動しつつ前記係止爪２０１と係止部１３０ａとのロッキングが解除される方向に回転レバー１３０を回転させることになり、この時、トレー２００の下面に設置されたスプリング２３０の弾性復原力によりトレー２００がケース１００の外側に飛び出す。
【０００８】
参照符号３００は、前記のようにスプリング２３０の復原力によりトレー２００が飛び出す時に光ディスクＤの縁部に接触することによってトレー２００があまり大きく飛び出さないように制動をかけるディスクストッパを示すが、本発明ではこのディスクストッパ３００が接地部材の機能を兼ねる。すなわち、トレー２００が装填される時にも光ディスクＤの縁部がこのストッパ３００に接触するので、この瞬間に光ディスクＤに残留する静電気を除去できるようにストッパ３００に接地部材の機能を付与したものである。このためにストッパ３００は前記ケース１００と電気的に連結されるように少なくとも一部が金属材質よりなる。すなわち、通常的に前記ケース１００はアルミニウムやステンレススチールなどの金属材質よりなっており、前記ストッパ３００は前記ケース１００に設置されるために、このストッパ３００の少なくとも一部を導電性金属材質で構成すれば光ディスクＤの縁部が接触する瞬間に静電気がストッパ３００を通じてケース１００に接地されて抜け出ることができる。
【０００９】
このような接地部材の機能を兼ねたストッパ３００は、例えば図５Ａないし図５Ｄのように構成される。すなわち、図５Ａのようにストッパ３００全体を接地機能のための金属材質３０１で構成することもあり、または図５Ｂないし図５Ｄのように左右または両端だけ接地機能のための金属材質３０１で構成し、残りは従来のようにゴムや革などの非金属材質３０２で構成することもある。前記ディスクストッパ３００はストッパおよび接地の機能を兼ねているために、ストッパの機能まで考慮すれば制動力が相対的に優秀なゴムや革などを共に組合わせて構成することがさらに効果的である。ここで、金属材質にはケース１００と同じアルミニウムや銀、銅、ニッケル、ステンレススチール材質などが使われ、エポキシ樹脂、アクリル樹脂、変性ウレタン樹脂など合成樹脂および合成ゴムに導電性の優秀な前記金属粉およびカーボンなどを混合分散させた導電性材料または金属糸を利用するか、金属糸と非金属糸とを混合した材料も採用できる。また、容易な方法には簡単に金属テープを付着させる方法もある。
【００１０】
前記のように構成された光ディスクドライブにおいて、トレー２００上のターンテーブル２１０に光ディスクＤを載置した後でケース１００内へ押し込むならば、図６に示したように光ディスクＤの縁部が接地部材のストッパ３００に接触しながら過ぎる。この接触瞬間に光ディスクＤとストッパ３００およびケース１００が電気的に連結され、光ディスクＤに残留する静電気がケース１００側に抜け出る。したがって、図７のようにケース１００内へトレー２００が完全に引き込まれた状態は光ディスクＤから静電気が除去された後なので、周囲のホコリが静電気により光ディスクＤにつく現象がなくなる。したがって、以後の情報記録および再生作業時にホコリなどの異物の付着により光信号処理に支障を受ける可能性が大幅に減少する。
【００１１】
一方、本実施例では構造の簡素化のためにディスクストッパ３００が接地部材の機能を兼ねるように構成したが、これと違って図８に示したように別途の接地部材３００ｂをストッパ３００ａの側部にさらに接地してそれぞれの機能を別々に利用することもある。
【００１２】
【発明の効果】
前述したように本発明による光ディスクドライブは、トレーを引き込める時に所定接地部材を通じて光ディスクに残留する静電気を除去することによってホコリなどの異物が光ディスクにつく現象を抑制でき、したがって、安定してかつ正確な光信号処理を保証できて製品の信頼性を高めることができる。
【図面の簡単な説明】
【図１】従来の光ディスクドライブを示す図面である。
【図２】図１に示した光ディスクドライブのトレーローディング状態を示す図面である。
【図３】図１に示した光ディスクドライブのトレーアンローディング状態を示す図面である。
【図４】本発明の光ディスクドライブを示す図面である。
【図５Ａ】図４に示したストッパ兼用接地部材の変形可能な構成例を示す図面である。
【図５Ｂ】図４に示したストッパ兼用接地部材の変形可能な構成例を示す図面である。
【図５Ｃ】図４に示したストッパ兼用接地部材の変形可能な構成例を示す図面である。
【図５Ｄ】図４に示したストッパ兼用接地部材の変形可能な構成例を示す図面である。
【図６】図４に示した光ディスクドライブのトレーローディング中の状態を示す図面である。
【図７】図４に示した光ディスクドライブのトレーローディング完了状態を示す図面である。
【図８】本発明の他の実施例による光ディスクドライブを示す図面である。
【符号の説明】
１００　ケース
１２０　ソレノイド
１３０　回転レバー
１３１　係止部
２００　トレー
２０１　係止爪
２１０　ターンテーブル２１０
２２０　光ピックアップ
２３０　スプリング
３００　ストッパ
Ｄ　光ディスク
【図１】
2004022163.tif 000003
【図２】
2004022163.tif 000004
【図３】
2004022163.tif 000005
【図４】
2004022163.tif 000006
【図５Ａ】
2004022163.tif 000007
【図５Ｂ】
2004022163.tif 000008
【図５Ｃ】
2004022163.tif 000009
【図５Ｄ】
2004022163.tif 000010
【図６】
2004022163.tif 000011
【図７】
2004022163.tif 000012
【図８】
2004022163.tif 000013